(57)【要約】  【課題】  発光素子アレイからなる露光ヘッドと感光材料とを相対移動させて副走査を行う露光装置において、露光ヘッドと感光材料との距離が変動しても、露光濃度を安定化させる。  【解決手段】  互いに間隔を置いて少なくとも一方向に並設された複数の発光素子からなる発光素子アレイ６Ｒ、６Ｇおよび６Ｂと、これらの発光素子による像を感光材料上に結像させる結像レンズ７ａとを備えてなる露光ヘッド１において、結像レンズ７ａの焦点位置に配された感光材料における最大画素面積、発光素子の発光面積、結像レンズの倍率をそれぞれＡ、Ｂ、Ｃとしたとき、０．６≦Ｂ×Ｃ2／Ａの関係を満足させる。【選択図】          図２
2006119606.tif 000002
【特許請求の範囲】
【請求項１】
互いに間隔を置いて少なくとも一方向に並設された複数の発光素子からなる発光素子アレイと、これらの発光素子による像を感光材料上に結像させる結像レンズとを備えてなる露光ヘッドにおいて、
前記結像レンズの焦点位置に配された感光材料における最大画素面積、発光素子の発光面積、結像レンズの倍率をそれぞれＡ、Ｂ、Ｃとしたとき、０．６≦Ｂ×Ｃ2／Ａとなっていることを特徴とする露光ヘッド。
【請求項２】
前記結像レンズが等倍レンズであることを特徴とする請求項１記載の露光ヘッド。
【請求項３】
請求項１から２いずれか１項記載の露光ヘッドと、
該露光ヘッドと感光材料とを、前記一方向と略直角な方向に相対移動させる副走査手段とを備えてなる露光装置。
【発明の詳細な説明】
【技術分野】
【０００１】
本発明は、発光素子アレイを用いた露光ヘッド、およびその露光ヘッドを用いて感光材料を露光させる露光装置に関するものである。
【背景技術】
【０００２】
従来、例えば特許文献１や特許文献２に示されるように、それぞれが赤、緑および青等の互いに異なる波長領域の光を発する複数のライン状発光素子アレイからなる露光ヘッドを用いて、カラー感光材料を露光する装置が公知となっている。
【０００３】
上記のライン状発光素子アレイは、複数の有機ＥＬ（エレクトロルミネッセンス）発光素子等の発光素子が１列に並設されてなるものである。そして上記露光ヘッドは、互いに異なる色の光を発する複数のライン状発光素子アレイが互いに発光素子の並び方向と略直角な方向に並設されるとともに、各アレイから発せられた光による像を感光材料上に結像させる結像レンズが設けられてなるものである。
【０００４】
そしてこのような露光ヘッドを用いる露光装置は、露光ヘッドから発せられた光が照射される位置にカラー感光材料を保持し、この感光材料と露光ヘッドとを、ライン状発光素子アレイの並び方向（つまり各アレイにおける発光素子の並び方向と略直角な方向）に相対移動させる副走査手段をさらに設けて構成されている。
【特許文献１】特開平５−９２６２２号公報
【特許文献２】特開２０００−１３５７１号公報
【発明の開示】
【発明が解決しようとする課題】
【０００５】
ところで、上述した発光素子アレイにおいて、複数の有機ＥＬ発光素子等の発光素子を互いに隙間無く配列することは事実上不可能であり、それらの発光素子は互いに間隔を置いて配列された状態となっている。したがって、このような構造の発光素子アレイを用いて画像露光する露光装置においては、感光材料を主走査方向（発光素子の並び方向）に隙間無く露光することは困難となっている。つまり、この露光によって感光材料上に形成される画素は、互いに密接することなく離散したものとなる。
【０００６】
他方、前述の副走査手段によって感光材料と露光ヘッドとを相対移動させて、該感光材料に２次元的画像を露光する際には、この相対移動に伴って、感光材料と露光ヘッドとの距離が変動することがある。前述したように、感光材料上に形成される画素が互いに離散したものとなっている場合に、こうして感光材料と露光ヘッドとの距離が変動すると、感光材料上の露光面積が変化してしまう。そうであると、同一露光量で得られる濃度が変動するので、露光濃度が不安定になってしまう。
【０００７】
特に感光材料を副走査する構成において、感光材料としてシート状のインスタントフィルムを用いた場合は、副走査機構の変動、シート内でのフィルム厚偏差等により、感光材料と露光ヘッド間の距離が変動しやすく、そのため上記濃度ムラが発生し、プリント品質を低下させてしまう。一般的なインスタントフィルム上での濃度ムラの視認限界は０．０６程度であるので、良好なプリント品質を維持するためには、濃度変化を概ね０．０６以下にすることが求められる。
【０００８】
本発明は上記の事情に鑑みて、感光材料と露光ヘッドとの距離が変動した場合においても、プリント濃度変動を抑制してプリント品質低下を回避可能な露光装置を提供することを目的とする。
【０００９】
また本発明は、上述のような露光装置を実現する露光ヘッドを提供することを目的とする。
【課題を解決するための手段】
【００１０】
本発明による露光ヘッドは、前述したように、互いに間隔を置いて少なくとも一方向に並設された複数の発光素子からなる発光素子アレイと、これらの発光素子による像を感光材料上に結像させる結像レンズとを備えてなる露光ヘッドにおいて、結像レンズの焦点位置に配された感光材料における最大画素面積、発光素子の発光面積、結像レンズの倍率をそれぞれＡ、Ｂ、Ｃとしたとき、０．６≦Ｂ×Ｃ2／Ａとなっていることを特徴とするものである。
【００１１】
ここで、上記の最大画素面積とは、感光材料上において主走査方向、つまり発光素子による光点の並び方向に複数の矩形画素（これは正方形でも長方形でもよい）を並べたとき、それらが互いに重なることもなく、かつ間に隙間を置くことなく密接して並ぶようになる画素の面積を意味するものである。
【００１２】
なお上記構成の露光ヘッドにおいて、結像レンズとしては、等倍レンズが用いられるのが好ましい。
【００１３】
また、本発明による露光装置は、上述した本発明による露光ヘッドと、該露光ヘッドと感光材料とを、前記一方向と略直角な方向に相対移動させる副走査手段とを備えてなるものである。
【発明の効果】
【００１４】
下に示す表１〜７は、上記Ｂ×Ｃ2／Ａの値（各欄内の数字）を種々に変えたときのプリント濃度安定性を評価した結果を示すものである。評価は、感光材料が本来の結像レンズ焦点位置に存在する場合、該焦点位置から２００μｍ動いた場合、該焦点位置から４００μｍ動いた場合のそれぞれで、焦点位置におけるプリント濃度に対しどの程度濃度差が発生するかに基づいて行った。なお、上述のように２００μｍ、４００μｍ動く場合を評価したのは、感光材料の平坦性により２００μｍ程度の動きが発生し得ること、そして副走査機構の位置変動によりさらに２００μｍ程度の動きが発生し得ることを考慮したからである。各欄内に○、△、×で示す評価結果はそれぞれ、いずれの階調領域においても、焦点位置におけるプリント濃度との差が０．０５より小さい場合、概ね０．０６（０．０５を超えて０．０７未満）の場合、０．０７以上であった場合、それよりも大きかった場合を示している。
【００１５】
これらの表の太枠線内領域に示される通り、０．６≦Ｂ×Ｃ2／Ａの関係が満たされている場合は全て、上記プリント濃度差が０．０５未満である○の評価、あるいはこのプリント濃度差が概ね０．０６（０．０５を超えて０．０７未満）である△の評価が得られている。これにより、０．６≦Ｂ×Ｃ2／Ａの関係を満足させておけば、感光材料と露光ヘッドとの距離が変動しても露光濃度を安定化できることが明らかである。なお、特に０．７≦Ｂ×Ｃ2／Ａの関係が満たされている場合は全て、上記プリント濃度差が０．０５未満である○の評価が得られているので、露光濃度を特に良好に安定させる上では、０．７≦Ｂ×Ｃ2／Ａの関係を満足させるのが望ましい。
【表１】
2006119606.tif 000003
【表２】
2006119606.tif 000004
【表３】
2006119606.tif 000005
【表４】
2006119606.tif 000006
【表５】
2006119606.tif 000007
【表６】
2006119606.tif 000008
【表７】
2006119606.tif 000009
【００１６】
なお、本発明の露光ヘッドにおいて、特に結像レンズとして等倍レンズ（Ｃ＝１）が用いられている場合は、結像レンズの焦点位置に配された感光材料における発光素子の像面積が、発光素子の発光面積と等しくなるから、この像面積をＢと考えて、０．６≦Ｂ／Ａの関係を満足させればよい。
【発明を実施するための最良の形態】
【００１７】
以下、図面を参照して本発明の実施の形態を説明する。
【００１８】
図１は、本発明の一実施形態による露光装置の一部破断正面形状を示すものであり、また図２は、この露光装置の一部破断側面形状を示している。図示の通りこの露光装置は、露光ヘッド１と、この露光ヘッド１から出射した露光光２の照射を受ける位置に保持したカラー感光材料３を、図２の矢印Ｙ方向に定速で搬送する、例えばニップローラ等からなる副走査手段４とを備えている。
【００１９】
上記露光ヘッド１は、有機ＥＬパネル６と、該有機ＥＬパネル６から出射した露光光２を受ける位置に配されて、この露光光２による像をカラー感光材料３の上に等倍で結像させる屈折率分布型レンズアレイ７と、このレンズアレイ７および有機ＥＬパネル６を保持する保持手段８（図２では省略）とを備えている。
【００２０】
等倍レンズアレイである屈折率分布型レンズアレイ７は、その平面図である図３にも詳しく示される通り、露光光２を集光する微小な屈折率分布型レンズ７ａを副走査方向Ｙと直交する主走査方向（矢印Ｘ方向）に多数並設してなるレンズ列が、合計２列配設されてなるものである。この屈折率分布型レンズアレイ７においては、屈折率分布型レンズ７ａが千鳥配列されている。つまり、一方のレンズ列を構成する複数の屈折率分布型レンズ７ａは、他方のレンズ列を構成する複数の屈折率分布型レンズ７ａの間に位置するように配されている。なお、このような屈折率分布型レンズアレイ７として具体的には、日本板硝子株式会社製セルフォックレンズ（登録商標）アレイＳＬＡ−１２Ｅを好適に用いることができる。
【００２１】
本実施形態の露光装置は、一例としてフルカラーネガ型銀塩写真感光材料であるカラー感光材料３にカラー画像を露光するもので、露光ヘッド１を構成する有機ＥＬパネル６は、副走査方向Ｙに並べて配設された赤色ライン状発光素子アレイ６Ｒ、緑色ライン状発光素子アレイ６Ｇおよび青色ライン状発光素子アレイ６Ｂを備えている。これらのライン状発光素子アレイ６Ｒ、６Ｇおよび６Ｂはそれぞれ、主走査方向Ｘに多数の赤色有機ＥＬ発光素子、緑色有機ＥＬ発光素子および青色有機ＥＬ発光素子が並設されてなるものである。
【００２２】
なお図１および図２では、上記発光素子の１つを代表的に有機ＥＬ発光素子20として示してある。各有機ＥＬ発光素子20は、ガラス等からなる透明基板10の上に、透明陽極21、発光層を含む有機化合物層22、および金属陰極23が順次蒸着により積層されてなるものである。そして、上記発光層として各々赤色光、緑色光および青色光を発するものが適用されることにより、それぞれ赤色有機ＥＬ発光素子、緑色有機ＥＬ発光素子および青色有機ＥＬ発光素子が形成されている。
【００２３】
ライン状発光素子アレイ６Ｒ、６Ｇおよび６Ｂは、図１に示す駆動回路30によって駆動される。すなわち駆動回路30は、走査電極となる金属陰極23を所定の周期で順次ON状態に設定する陰極ドライバと、信号電極となる透明陽極21をフルカラー画像を示す画像データＤに基づいてON状態に設定する陽極ドライバとを備えてなるものであり、ライン状発光素子アレイ６Ｒ、６Ｇおよび６Ｂをいわゆるパッシブマトリクス(passive matrix)線順次選択駆動方式により駆動する。この駆動回路30の動作は、上記画像データＤを出力する制御部31によって制御される。
【００２４】
各有機ＥＬ発光素子20を構成する要素は、例えばガラス製の缶等からなる封止部材25内に配置されている。つまり、この封止部材25の縁部と透明基板10とが接着され、乾燥窒素ガスが充填された封止部材25内に有機ＥＬ発光素子20が封止されている。
【００２５】
上記構成の有機ＥＬ発光素子20において、金属陰極23と、それを横切るように延びる透明陽極21との間に所定電圧が印加されると、電圧が印加された両電極の交差部分毎に有機化合物層22に電流が流れ、そこに含まれる発光層が発光する。この発光光は透明陽極21および透明基板10を透過して、露光光２として素子外に出射する。
【００２６】
ここで透明陽極21は、４００ｎｍ〜７００ｎｍの可視光の波長領域において、少なくとも５０％以上、好ましくは７０％以上の光透過率を有するものが好ましい。透明陽極21の材料としては、酸化錫、酸化錫インジウム（ＩＴＯ）、酸化亜鉛インジウム等、透明電極材料として従来公知の化合物を適宜用いることができるが、その他、金や白金など仕事関数が大きい金属からなる薄膜を用いてもよい。また、ポリアニリン、ポリチオフェン、ポリピロールまたはこれらの誘導体などの有機化合物を用いることもできる。なお、沢田豊監修「透明導電膜の新展開」シーエムシー社刊（１９９９年）には、透明導電膜について詳細な記載があり、そこに示されているものを本発明に適用することも可能である。また透明陽極21は、真空蒸着法、スパッタリング法、イオンプレーティング法などによって透明基板10上に形成することができる。
【００２７】
一方、有機化合物層22は、発光層のみからなる単層構造であってもよいし、発光層の他に、ホール注入層、ホール輸送層、電子注入層、電子輸送層等のその他の層を適宜有する積層構造であってもよい。有機化合物層22および電極の具体的な層構成としては、陽極／ホール注入層／ホール輸送層／発光層／電子輸送層／陰極とする構成や、陽極／発光層／電子輸送層／陰極、陽極／ホール輸送層／発光層／電子輸送層／陰極とする構成等が挙げられる。また、発光層、ホール輸送層、ホール注入層、電子注入層は、それぞれ複数設けられてもよい。
【００２８】
金属陰極23は、仕事関数の低いＬｉ、Ｋなどのアルカリ金属、Ｍｇ、Ｃａなどのアルカリ土類金属、およびこれらの金属とＡｇやＡｌなどとの合金や混合物等の金属材料から形成されるのが好ましい。陰極における保存安定性と電子注入性とを両立させるために、上記材料で形成した電極を、仕事関数が大きく導電性の高いＡｇ、Ａｌ、Ａｕなどで更に被覆してもよい。なお、金属陰極23も透明陽極21と同様に、真空蒸着法、スパッタ法、イオンプレーティング法などの公知の方法で形成することができる。
【００２９】
以下、上記構成を有する露光装置の作動について説明する。なおここでは、ライン状発光素子アレイ６Ｒ、６Ｇおよび６Ｂの主走査方向画素数、つまり透明陽極21の並設数をｎとする。カラー感光材料３に画像露光する際、このカラー感光材料３は副走査手段４によって矢印Ｙ方向に定速で搬送される。またこのカラー感光材料３の搬送と同期させて、前述した駆動回路30の陰極ドライバにより、３本の金属陰極23の中の１つが順次ON状態に選択される。
【００３０】
このようにして第１番目の金属陰極23、つまり赤色ライン状発光素子アレイ６Ｒを構成する金属陰極23が選択されている期間内に、駆動回路30の陽極ドライバは第１，２，３・・・ｎの各透明陽極21を、第１主走査ラインの第１，２，３・・・ｎ番目の画素の赤色濃度を示す画像データに対応した時間、定電流源に接続する。それにより該透明陽極21と金属陰極23との間の有機化合物層22（図１参照）に、画像データに対応したパルス幅の電流が流れ、該有機化合物層22から赤色光が発せられる。
【００３１】
こうして赤色ライン状発光素子アレイ６Ｒから発せられた赤色光である露光光２は、レンズアレイ７によってカラー感光材料３上に集光され、それにより、カラー感光材料３上において第１主走査ラインを構成する第１，２，３・・・ｎ番目の画素が赤色光で露光され、赤色に発色する。
【００３２】
なお、本実施形態のようにパッシブマトリクス線順次選択駆動方式を適用する場合、副走査手段４によるカラー感光材料３の搬送速度（副走査速度）および有機ＥＬ発光素子20の発光時間は、実質的にカラー感光材料３が停止した状態で露光光２が照射されるのと同じ状態となるように設定される。
【００３３】
次に第２番目の金属陰極23、つまり緑色ライン状発光素子アレイ６Ｇを構成する金属陰極23が選択されている期間内に、駆動回路30の陽極ドライバは第１，２，３・・・ｎの各透明陽極21を、第１主走査ラインの第１，２，３・・・ｎ番目の画素の緑色濃度を示す画像データに対応した時間、定電流源に接続する。それにより該透明陽極21と金属陰極23との間の有機化合物層22に、画像データに対応したパルス幅の電流が流れ、該有機化合物層22から緑色光が発せられる。
【００３４】
こうして緑色ライン状発光素子アレイ６Ｇから発せられた緑色光である露光光２は、レンズアレイ７によってカラー感光材料３上に集光され、それにより、カラー感光材料３上において第１主走査ラインを構成する第１，２，３・・・ｎ番目の画素が緑色光で露光され、緑色に発色する。なお、カラー感光材料３が前述のように定速搬送されているので、上記緑色光は、該カラー感光材料３の既に赤色光で露光されている部分の上に照射される。
【００３５】
次に第３番目の金属陰極23、つまり青色ライン状発光素子アレイ６Ｂを構成する金属陰極23が選択されている期間内に、駆動回路30の陽極ドライバは第１，２，３・・・ｎの各透明陽極21を、第１主走査ラインの第１，２，３・・・ｎ番目の画素の青色濃度を示す画像データに対応した時間、定電流源に接続する。それにより該透明陽極21と金属陰極23との間の有機化合物層22に、画像データに対応したパルス幅の電流が流れ、該有機化合物層22から青色光が発せられる。
【００３６】
こうして青色ライン状発光素子アレイ６Ｂから発せられた青色光である露光光２は、レンズアレイ７によってカラー感光材料３上に集光され、それにより、カラー感光材料３上において第１主走査ラインを構成する第１，２，３・・・ｎ番目の画素が青色光で露光され、青色に発色する。なお、カラー感光材料３が前述のように定速搬送されているので、上記青色光は、該カラー感光材料３の既に赤色光および緑色光で露光されている部分の上に照射される。以上の工程により、カラー感光材料３の上には、第１番目のフルカラーの主走査ラインが露光、記録される。
【００３７】
次いで金属陰極の線順次選択は第１番目の金属陰極23に戻り、該第１番目の金属陰極23、つまり赤色ライン状発光素子アレイ６Ｒを構成する金属陰極23が選択されている期間内に、駆動回路30の陽極ドライバは第１，２，３・・・ｎの各透明陽極21を、第２主走査ラインの第１，２，３・・・ｎ番目の画素の赤色濃度を示す画像データに対応した時間、定電流源に接続する。それにより該透明陽極21と金属陰極23との間の有機化合物層22に、画像データに対応したパルス幅の電流が流れ、該有機化合物層22から赤色光が発せられる。
【００３８】
こうして赤色ライン状発光素子アレイ６Ｒから発せられた赤色光である露光光２は、レンズアレイ７によってカラー感光材料３上に集光され、それにより、カラー感光材料３上において第２主走査ラインを構成する第１，２，３・・・ｎ番目の画素が赤色光で露光され、赤色に発色する。
【００３９】
以下は同様の操作が繰り返されて第２番目のフルカラーの主走査ラインが露光され、さらにそのようなカラー主走査ラインが副走査方向Ｙに次々と並べて露光され、カラー感光材料３上に多数の主走査ラインからなる２次元カラー画像が露光される。なお本実施形態では、上述した通り各色露光光がパルス幅変調されて、それらの発光量が画像データに対応して制御され、それによりカラーの階調画像が露光される。
【００４０】
なお本実施形態では、赤色ライン状発光素子アレイ６Ｒ、緑色ライン状発光素子アレイ６Ｇおよび青色ライン状発光素子アレイ６Ｂを各々１つずつ副走査方向に並べて配置しているが、これらの発光素子アレイの並設数や並び順は、本実施形態におけるものに限られるものではなく、その他に適宜設定することができる。
【００４１】
次に、前述した感光材料のプリント濃度変動を抑制するための構成について詳しく説明する。本実施形態において、カラー感光材料３上の目標とする解像度は主走査方向、副走査方向とも２５４ｄｐｉ（dots per inch）であり、それを実現する上でのカラー感光材料３上の最大画素サイズは正方画素の場合で１００μｍ×１００μｍとなる。一方、赤色ライン状発光素子アレイ６Ｒ、緑色ライン状発光素子アレイ６Ｇおよび青色ライン状発光素子アレイ６Ｂを構成する有機ＥＬ発光素子20のサイズは、１００μｍ×７０μｍに設定されている。また有機ＥＬ発光素子20の主走査方向配置ピッチは１００μｍ、赤色ライン状発光素子アレイ６Ｒ、緑色ライン状発光素子アレイ６Ｇおよび青色ライン状発光素子アレイ６Ｂの副走査方向配置ピッチは１３０μｍとされている。
【００４２】
本実施形態では先に述べた通り、屈折率分布型レンズアレイ７として等倍結像レンズアレイが用いられているので、カラー感光材料３上における有機ＥＬ発光素子20の像のサイズは、屈折率分布型レンズアレイ７の焦点位置に正しくカラー感光材料３が配置されていれば、素子サイズそのままの１００μｍ×７０μｍとなる。図４には、カラー感光材料３上における有機ＥＬ発光素子の像20Ｐの配列の様子を、上記最大画素サイズと併せて示す。なお同図においては、有機ＥＬ発光素子の像20Ｐの（つまりは有機ＥＬ発光素子20の）縦サイズすなわち副走査方向サイズをａ、横サイズをｂ、主走査方向配置ピッチをｃとして示す。
【００４３】
本実施形態において、屈折率分布型レンズアレイ７の倍率Ｃ＝１、前述した最大画素面積Ａは１００μｍ×１００μｍ＝１００００μｍ2であり、それに対して屈折率分布型レンズアレイ７の焦点位置における有機ＥＬ発光素子20の像面積Ｂは１００μｍ×７０μｍ＝７０００μｍ2であり、したがってＢ×Ｃ2／Ａ＝０．７である。
【００４４】
上記構成を有する本実施形態の露光装置について、先に説明した方法によってプリント濃度変動を評価した。すなわち、カラー感光材料３が屈折率分布型レンズアレイ７の焦点位置に存在する場合、該焦点位置から２００μｍ動いた場合、該焦点位置から４００μｍ動いた場合のそれぞれで、露光量対プリント濃度の関係を求めた。その関係を図５に示すが、ここに示される通り、本実施形態ではいずれの場合も全ての階調領域でプリント濃度差が０．０５未満だった。それにより、この露光装置においては、カラー感光材料３が副走査送りに伴って、露光ヘッド１との距離が変化する方向にある程度動いても、同一露光量に対してプリント濃度差が０．０５未満であり、感光材料の濃度変動が抑制できていることが裏付けられた。
【００４５】
なお本実施形態の評価結果は、前述した表１の最下行の中央列に示されるものであり、評価は当然○である。
【００４６】
本発明に対する比較例として、有機ＥＬ発光素子20のサイズを７０μｍ×７０μｍとし、それ以外の点は上記実施形態と同様に設定した露光装置を作製し、それについても同様の評価を行った。本例においては、Ｂ×Ｃ2／Ａ＝０．４９である。なお図６には、この場合の有機ＥＬ発光素子の像20Ｐの配列の様子を示す。また図７には、この場合の露光量対プリント濃度の関係を、上記実施形態におけるのと同じ３つの場合について求めた結果を示す。この図７に示される通り、本比較例においては露光量対プリント濃度の関係が大きく変化し、プリント濃度差が概ね０．０６を超える階調領域が存在するため、カラー感光材料３が副走査送りに伴って、露光ヘッド１との距離が変化する方向にある程度動くと、同一露光量に対して濃度変動の抑制はできず、視認限界を超える濃度ムラが発生すると考えられる。
【００４７】
なお本比較例の評価結果は、前述した表１の上から３番目の行の中央列に示されるものであり、評価は×である。
【００４８】
表１には、上記実施形態および比較例の他に、有機ＥＬ発光素子20のサイズを種々に変えた場合の評価結果も示してある。また表２，３および４には、目標とする解像度を主走査方向、副走査方向とも３００ｄｐｉ、４００ｄｐｉおよび５０８ｄｐｉとする場合について、有機ＥＬ発光素子20のサイズを種々に変えた場合の評価結果を示してある。さらに表５〜７には、屈折率分布型レンズアレイ７の倍率Ｃをそれぞれ０．９、１．１、１．２とし、その他の点は表１のものと同様とした場合の評価結果を示してある。これらの表１〜７に示される通り、０．６≦Ｂ×Ｃ2／Ａの関係を満足させておけば、カラー感光材料３と露光ヘッド１との距離が変動してもプリント濃度を安定化できることが明らかである。
【００４９】
以上、露光ヘッドから赤色光、緑色光および青色光の３色の光を発生させ、それらの光により各々、カラー感光材料３の赤色発色層、緑色発色層および青色発色層を感光させる露光装置に適用された実施形態について説明したが、本発明は、その他の色で発色する発色層を有するカラー感光材料を対象とする露光装置や、モノクロ画像を露光する露光装置にも適用可能であり、その場合にも同様の効果を奏するものである。
【００５０】
また、カラー感光材料を対象とする場合も、感光材料は前述のフルカラーネガ型銀塩写真感光材料に限られるものではなく、本発明の露光装置は、それ以外のカラー感光材料に画像露光するものとして形成することも可能である。ただ、ハロゲン化銀感光材料等の銀塩写真感光材料は露光量に対する感度が高いので、それを用いる場合には、本発明による効果が特に高いものとなる。
【００５１】
また、発光素子アレイの駆動方式も、前述したパッシブマトリクス駆動方式に限らず、アクティブマトリクス駆動方式等のその他の駆動方式を適宜適用することができる。他方、濃度階調表現のための露光光の変調方式も前述のパルス幅変調に限らず、発光強度変調やパルス数変調等、その他の変調方式を単独であるいは組み合わせて適宜適用することができる。
【００５２】
さらに上記実施形態は、ライン状発光素子アレイを構成する発光素子として有機ＥＬ発光素子を用いるものであるが、本発明はその他の例えば発光ダイオードや無機ＥＬ発光素子等の発光素子からライン状発光素子アレイを構成する場合にも適用可能であり、さらには、有機ＥＬ発光素子等の自己発光型の発光素子に限らず、液晶やＰＬＺＴ等の調光素子と光源との組み合わせからなる素子、あるいは複数の光源や素子が組み合わされてなる発光素子を用いてライン状発光素子アレイを構成する場合にも適用可能であり、その場合にも同様の効果を奏するものである。
【００５３】
また前述の実施形態のように、発光素子アレイが発した光によってカラー感光材料を露光する場合は、各発光素子アレイとカラー感光材料との間に、カラー感光材料の分光感度特性により適合するように露光光の波長を選択する色選択フィルターを配設してもよい。
【図面の簡単な説明】
【００５４】
【図１】本発明の一実施形態による露光装置の一部破断正面図
【図２】上記露光装置の一部破断側面図
【図３】上記露光装置におけるライン状発光素子アレイおよび等倍レンズアレイを示す部分平面図
【図４】上記露光装置における発光素子像の配列状態を示す概略図
【図５】上記露光装置における露光量対プリント濃度の関係を示すグラフ
【図６】本発明に対する比較例の露光装置における発光素子像の配列状態を示す概略図
【図７】上記比較例の露光装置における露光量対プリント濃度の関係を示すグラフ
【符号の説明】
【００５５】
１    露光ヘッド
２    露光光
３    カラー感光材料
４    副走査手段
６    有機ＥＬパネル
６Ｒ  赤色ライン状発光素子アレイ
６Ｇ  緑色ライン状発光素子アレイ
６Ｂ  青色ライン状発光素子アレイ
７    屈折率分布型レンズアレイ
７ａ  屈折率分布型レンズ
20    有機ＥＬ発光素子
20Ｐ    有機ＥＬ発光素子の像
30    駆動回路
31    制御部
【図１】
2006119606.tif 000010
【図２】
2006119606.tif 000011
【図３】
2006119606.tif 000012
【図４】
2006119606.tif 000013
【図５】
2006119606.tif 000014
【図６】
2006119606.tif 000015
【図７】
2006119606.tif 000016